(57)【要約】【課題】  適切且つ容易にバウンス撮影を行うことができるようにすること。【解決手段】  撮像装置による撮影に用いられる、発光角度が変更可能なフラッシュ装置の制御方法であって、前記フラッシュ装置によりフラッシュ光を複数の発光角度でそれぞれ照射させながら、測光手段により各発光角度において測光を行う測光工程と（Ｓ１０５）、記憶手段により、得られた複数の測光値の内、所定範囲の値を有する測光値を除いて、最も大きい測光値が得られた発光角度を記憶する記憶工程と（Ｓ１０５〜Ｓ１０８）、設定手段により、前記記憶された発光角度に前記フラッシュ装置を設定する設定工程と（１０９）を有し、前記所定範囲の値を有する測光値は、前記フラッシュ装置の発光角度が撮影レンズの光軸に対して略平行な発光角度で得られる測光値との差が予め決められた範囲内にある測光値であることを特徴とする。【選択図】  図２
2011221364.tif 000002
【特許請求の範囲】
【請求項１】
発光角度が変更可能なフラッシュ装置を制御する撮像装置であって、
測光手段と、
前記フラッシュ装置によりフラッシュ光を複数の発光角度でそれぞれ照射させながら、各発光角度において前記測光手段により測光を行わせ、得られた複数の測光値の内、所定範囲の値を有する測光値を除いて、最も大きい測光値が得られた発光角度を記憶する制御手段とを有し、
前記制御手段は、前記記憶された発光角度に前記フラッシュ装置を設定して、撮影を行うように制御し、
前記所定範囲の値を有する測光値は、前記フラッシュ装置の発光角度が撮影レンズの光軸に対して略平行な発光角度で得られる測光値との差が予め決められた範囲内にある測光値であることを特徴とする撮像装置。
【請求項２】
発光角度が変更可能なフラッシュ装置を制御する撮像装置であって、
測光手段と、
前記フラッシュ装置によりフラッシュ光を複数の発光角度でそれぞれ照射させながら、各発光角度において前記測光手段により測光を行わせ、得られた複数の測光値の内、所定範囲の値を有する測光値を除いた測光値の分布から、最大の測光値が得られる発光角度を求め、該求めた発光角度を記憶する制御手段とを有し、
前記制御手段は、前記記憶された発光角度に前記フラッシュ装置を設定して、撮影を行うように制御し、
前記所定範囲の値を有する測光値は、前記フラッシュ装置の発光角度が撮影レンズの光軸に対して略平行な発光角度で得られる測光値との差が予め決められた範囲内にある測光値であることを特徴とする撮像装置。
【請求項３】
前記所定範囲の値を有する測光値を除いた測光値は、前記フラッシュ装置が変更可能な発光角度の範囲から、前記所定範囲の値を有する測光値が得られた発光角度の範囲を除いた範囲を、複数に分割して得られる複数の発光角度で得られる測光値であることを特徴とする請求項２に記載の撮像装置。
【請求項４】
発光角度が変更可能なフラッシュ装置を制御する撮像装置であって、
測光手段と、
前記発光角度が変更される度に、前記測光手段により測光を行わせ、得られた複数の測光値の内、所定範囲の値を有する測光値を除いた測光値のレベルを求める制御手段と、
前記制御手段により求められた前記レベルを表示する表示手段とを有し、
前記所定範囲の値を有する測光値は、前記フラッシュ装置の発光角度が撮影レンズの光軸に対して略平行な発光角度で得られる測光値との差が予め決められた範囲内にある測光値であることを特徴とする撮像装置。
【請求項５】
前記表示手段は、前記測光値が前記所定範囲の値を有する場合に、前記測光値が前記所定範囲の値を有することを表示することを特徴とする請求項４に記載の撮像装置。
【請求項６】
前記測光手段は、複数の領域の測光値をそれぞれ取得する測光手段であって、
前記所定範囲外の値を有する測光値は、前記複数の領域の内、被写体の領域に対応する領域から得られる測光値の平均値であることを特徴とする請求項１乃至５のいずれか１項に記載の撮像装置。
【請求項７】
前記測光手段は、複数の領域の測光値をそれぞれ取得する測光手段であって、
前記所定範囲外の値を有する測光値は、中央重点演算により得られた測光値であることを特徴とする請求項１乃至５のいずれか１項に記載の撮像装置。
【請求項８】
撮像装置による撮影に用いられる、発光角度が変更可能なフラッシュ装置の制御方法であって、
前記フラッシュ装置によりフラッシュ光を複数の発光角度でそれぞれ照射させながら、測光手段により各発光角度において測光を行う測光工程と、
記憶手段により、得られた複数の測光値の内、所定範囲の値を有する測光値を除いて、最も大きい測光値が得られた発光角度を記憶する記憶工程と、
設定手段により、前記記憶された発光角度に前記フラッシュ装置を設定する設定工程とを有し、
前記所定範囲の値を有する測光値は、前記フラッシュ装置の発光角度が撮影レンズの光軸に対して略平行な発光角度で得られる測光値との差が予め決められた範囲内にある測光値であることを特徴とする制御方法。
【請求項９】
撮像装置による撮影に用いられる、発光角度が変更可能なフラッシュ装置の制御方法であって、
前記フラッシュ装置によりフラッシュ光を複数の発光角度でそれぞれ照射させながら、測光手段により各発光角度において測光を行う測光工程と、
記憶手段により、得られた複数の測光値の内、所定範囲の値を有する測光値を除いた測光値の分布から、最大の測光値が得られる発光角度を求め、該求めた発光角度を記憶する記憶工程と、
設定手段により、前記記憶された発光角度に前記フラッシュ装置を設定する設定工程とを有し、
前記所定範囲の値を有する測光値は、前記フラッシュ装置の発光角度が撮影レンズの光軸に対して略平行な発光角度で得られる測光値との差が予め決められた範囲内にある測光値であることを特徴とする制御方法。
【請求項１０】
撮像装置による撮影に用いられる、発光角度が変更可能なフラッシュ装置の制御方法であって、
前記発光角度が変更される度に、測光手段により測光を行う測光工程と、
演算手段により、得られた複数の測光値の内、所定範囲の値を有する測光値を除いた測光値のレベルを求める演算工程と、
表示手段により、前記演算工程で求められた前記レベルを表示する表示工程とを有し、
前記所定範囲の値を有する測光値は、前記フラッシュ装置の発光角度が撮影レンズの光軸に対して略平行な発光角度で得られる測光値との差が予め決められた範囲内にある測光値であることを特徴とする制御方法。
【発明の詳細な説明】
【技術分野】
【０００１】
本発明は、撮像装置で行われるフラッシュ撮影時のフラッシュ制御に関する。
【背景技術】
【０００２】
フラッシュを使用した撮影において、被写体にフラッシュ光を直接照射して撮影するときに、被写体の目が赤く写る赤目現象が知られている。また、フラッシュ光を直接照射すると、細かな陰影が飛んで平板な写真になったり、背景にまで光が回らず周囲が薄暗くなることがある。更に、太陽光や室内灯では影が下にできるが、フラッシュ光を直接照射すると横方向に影ができるため、被写体の後ろに壁などがあると被写体の影が写りこんでしまう。
【０００３】
上記のフラッシュ光の直接照射の問題を解決するための手法として、フラッシュ光の間接照射を行うバウンス照射が挙げられる。バウンス照射ではフラッシュ光を天井や壁などの反射体からの反射により拡散された光を用いるため、被写体にほぼ均一でやわらかい光を照射することができる。しかしながら、バウンス照射において、フラッシュの発光角度が適切でないと光量不足に陥ったり、被写体の一部にしか照射されなかったりしてしまう。これは、従来、バウンス照射において被写体を適切に照射しているかどうかを判断するのは、撮影者の勘やコツによるものであるためである。
【０００４】
これに対し、例えば、特許文献１ではバウンス光を照射するフラッシュの発光角度と照射角度とを求める手法が開示されている。この手法では、カメラから被写体までの距離情報とフラッシュの発光部から天井までの距離情報を求めて、２つの距離情報から最適なバウンス照射ができるようにフラッシュの発光角度と照射角度とを演算している。
【先行技術文献】
【特許文献】
【０００５】
【特許文献１】特開平０１−３０４４４０号公報
【発明の概要】
【発明が解決しようとする課題】
【０００６】
しかしながら、上述した特許文献１では、反射体の反射率による影響、即ち被写体からの反射光や、レンズの絞り値等の実際の露光量を考慮しておらず、必ずしも適切な発光角度とならないことがあった。
【０００７】
本発明は上記問題点を鑑みてなされたものであり、容易に適切なバウンス撮影を行うことができるようにすることを目的とする。
【課題を解決するための手段】
【０００８】
上記目的を達成するために、発光角度が変更可能なフラッシュ装置を制御する本発明の撮像装置は、測光手段と、前記フラッシュ装置によりフラッシュ光を複数の発光角度でそれぞれ照射させながら、各発光角度において前記測光手段により測光を行わせ、得られた複数の測光値の内、所定範囲の値を有する測光値を除いて、最も大きい測光値が得られた発光角度を記憶する制御手段とを有し、前記制御手段は、前記記憶された発光角度に前記フラッシュ装置を設定して、撮影を行うように制御し、前記所定範囲の値を有する測光値は、前記フラッシュ装置の発光角度が撮影レンズの光軸に対して略平行な発光角度で得られる測光値との差が予め決められた範囲内にある測光値であることを特徴とする。
【発明の効果】
【０００９】
本発明によれば、容易に適切なバウンス撮影を行うことができるようにすることができる。
【図面の簡単な説明】
【００１０】
【図１】本発明の実施形態におけるカメラシステムの概略構成を示すブロック図。
【図２】第１の実施形態におけるバウンス撮影で用いる発光角度を求める処理を示すフローチャート。
【図３】第２の実施形態におけるバウンス撮影で用いる発光角度を求める処理を示すフローチャート。
【図４】第２の実施形態におけるフラッシュの発光角度を説明するための図。
【図５】第２の実施形態における測光値が最大となる発光角度を求める方法の一例を説明するための図。
【図６】第３の実施形態におけるバウンス撮影で用いる発光角度を求める処理を示すフローチャート。
【図７】第３の実施形態のカメラシステムにおける表示例を示す図。
【発明を実施するための形態】
【００１１】
以下、添付図面を参照して本発明を実施するための最良の形態を詳細に説明する。
【００１２】
＜第１の実施形態＞
図１は、本発明の実施形態にかかる撮像装置の一例として、カメラシステムの概略構成を示すブロック図である。図１において、本実施形態のカメラシステムは、カメラ１とフラッシュ２から構成される。なお、カメラ１とフラッシュ２は、着脱可能に構成されていても、一体的に構成されていても、どちらでも構わない。
【００１３】
１１はカメラ１のシステム全体を制御するマイコンであり、既知のＣＰＵやＡ／Ｄ変換部等が内蔵される。以下、「カメラＣＰＵ」と呼ぶ。１２は多分割測光センサであり、不図示の撮影レンズを介して入射した光学像を複数の領域に分割し、領域毎に測光値を出力する。多分割測光センサ１２から取得した測光値はカメラＣＰＵ１１でＡ／Ｄ変換され、自動露出制御の演算に用いられる。
【００１４】
２１は、フラッシュ２のシステム全体を制御するマイコンであり、既知のＣＰＵやＡ／Ｄ変換部等が内蔵される。以下、「フラッシュＣＰＵ」と呼ぶ。２２は所定の配光角を持ったフラッシュ発光部であり、閃光管が用いられる。フラッシュ発光部２２の発光角度は変更可能であり、２３はフラッシュ発光部２２の発光角度を調節する駆動回路である。２４はフラッシュ発光部と同位置にあるＬＥＤであり、動画を撮影するときはフラッシュ発光部２２に代わって補助光として点灯する。２５はフラッシュ発光部２２の傾きを検出する角度検出器であり、検出したフラッシュ発光部２２の発光角度をフラッシュＣＰＵ２１を介してカメラＣＰＵ１１へ送信する。２６は表示部であり、フラッシュ２の発光量などの情報を表示する。また、手動でフラッシュ発光部２２の角度を調整する時のインジゲータを表示する。
【００１５】
次に、上記構成を有するカメラシステムにおけるバウンス撮影で用いる発光角度を求める本第１の実施形態の処理方法について、図２のフローチャートを参照して説明する。図２のフローチャートはカメラ１がバウンス照射時に、最適なフラッシュ発光部２２の発光角度を検出するプログラムに入ったところからスタートする。なお、発光角度を検出するプログラムは、例えば発光角度検出スイッチをカメラ１あるいはフラッシュ２に設けておき、ユーザにより該発光角度検出スイッチが操作されることで実行開始すればよい。
【００１６】
Ｓ１０１では、フラッシュ発光部２２の角度がカメラ１の不図示の撮影レンズの光軸に対して略平行になるように、カメラＣＰＵ１１がフラッシュＣＰＵ２１と通信して、駆動回路２３を制御する。カメラＣＰＵ１１はフラッシュＣＰＵ２１と通信して、角度検出器２５からフラッシュ発光部２２の角度が光軸と略平行になったと読み取ったときに、多分割測光センサ１２にフラッシュ光を照射しない状態で測光を行わせる。そして、カメラＣＰＵ１１に多分割測光センサ１２の全領域から得られた測光値を記憶する。次に、Ｓ１０２では、カメラＣＰＵ１１はフラッシュＣＰＵ２１と通信して、フラッシュ発光部２２を一定光量で発光させ、被写体にダイレクト光を照射する。そして、多分割測光センサ１２がダイレクト光照射時の測光を行い、カメラＣＰＵ１１は多分割測光センサ１２により得られた測光値と、記憶したフラッシュ光照射のない場合の測光値との差分を演算し記憶する。なお、以下の説明では、フラッシュ光を照射したときに多分割測光センサ１２で測光した測光値から、Ｓ１０１で記憶したフラッシュ光照射のない場合の測光値との差分を、フラッシュ光を照射したときの「測光値」と呼ぶ。
【００１７】
Ｓ１０３では、カメラＣＰＵ１１がフラッシュＣＰＵ２１と通信して駆動回路２３を制御し、フラッシュ発光部２２を光軸に対して垂直方向に一定角度動かす。Ｓ１０４では、カメラＣＰＵ１１がフラッシュＣＰＵ２１と通信して、角度検出器２５からフラッシュ発光部２２の角度を読み取り、垂直かどうかを判断する。垂直であればＳ１０９に進み、垂直でないときはＳ１０５に進む。Ｓ１０５では、カメラＣＰＵ１１がフラッシュＣＰＵ２１と通信して、フラッシュ発光部２２を一定光量で発光させ、多分割測光センサ１２が測光する。Ｓ１０６では、カメラＣＰＵ１１はＳ１０２で記憶した測光値と、Ｓ１０５で測光した測光値とを比較する。
【００１８】
Ｓ１０６では、Ｓ１０５で測光した測光値と、Ｓ１０２で記憶した測光値とが同レベルの値であることを検出すると、フラッシュ光がダイレクトに被写体に照射されていると判断する。なお、同レベルの値かどうかは、比較された２つの測光値の差が予め決められた所定範囲内にあるかどうかによって判断する。そして、フラッシュ光がダイレクトに被写体に照射されていると判断されると、Ｓ１０３に戻ってカメラＣＰＵ１１はフラッシュＣＰＵ２１と通信し、フラッシュ発光部２２を垂直方向に一定角度動かし、上述した処理を繰り返す。一方、Ｓ１０５で測光した測光値と、Ｓ１０２で記憶した測光値との差が所定範囲外にあると判断されると、Ｓ１０７に進む。
【００１９】
Ｓ１０７では、Ｓ１０５で測光した測光値の内、被写体に対応する領域の測光値の平均値を演算する。この平均値が、前回までの測光値から得られた測光値の平均値を上回ったときはＳ１０８に進み、以下のときはＳ１０３に戻る。Ｓ１０８では、Ｓ１０７で得られた測光値の平均値をカメラＣＰＵ１１が上書きして記憶する。また、カメラＣＰＵ１１は、Ｓ１０５で測光したときのフラッシュ発光部２２の発光角度を角度検出器２５からフラッシュＣＰＵ２１と通信して読み出し、上書きして記憶する。そして、カメラＣＰＵ１１がフラッシュ発光部２２の角度を垂直まで動かした時に記憶されていた角度が、最適なバウンス照射時のフラッシュ発光部２２の発光角度となる。Ｓ１０９では、カメラＣＰＵ１１は、Ｓ１０８で記憶したフラッシュ発光部２２の発光角度の角度データを読出し、該発光角度になるようにフラッシュＣＰＵ２１を経由して駆動回路２３を制御する。
【００２０】
上記の通り、本第１の実施形態によれば、実際の測光量からバウンス照射時に被写体が最も明るくなる角度を見つけ出すことができるようになり、最適なフラッシュ発光部２２の発光角度を自動で設定することができる。また、被写体にダイレクトにフラッシュ光が照射されることを防ぐことができる。
【００２１】
また、最適な発光角度として、被写体に対応する領域の測光値の平均値が最大となる発光角度を求めたが、これに限るものではなく、測光値に基づいて発光角度を決定するのであれば、本願発明に含まれる。例えば、多分割測光センサ１２の全領域の測光値に基づいて求めても、中央の領域の測光値に基づいて求めても良い。更には、予め設定された条件に基づいて、各領域に重み付けを行い、各領域から得られる測光値を重み付け平均しても構わない。
【００２２】
＜第２の実施形態＞
次に、本発明の第２の実施形態について説明する。なお、本第２の実施形態におけるカメラシステムの構成は、図１を参照して第１の実施形態で説明したものと同様であるため、ここでは説明を省略する。以下、図３のフローチャートを参照して、本第２の実施形態におけるバウンス撮影で用いる発光角度を求める処理方法について説明する。図３のフローチャートはカメラ１がバウンス照射時に、最適なフラッシュ発光部２２の発光角度を検出するプログラムに入ったところからスタートする。
【００２３】
なお、図３において、Ｓ１０１〜Ｓ１０６の処理は、Ｓ１０４におけるフラッシュ発光部２２の角度が、垂直かどうかの判断処理を含まない事を除いて、図１のＳ１０１〜Ｓ１０６の各ステップで行われる処理と同様であるので、ここでは説明を省略する。Ｓ１０６で、Ｓ１０５で測光した測光値と、Ｓ１０２で記憶した測光値との差が所定範囲外にあると判断されると、Ｓ２０６に進む。
【００２４】
Ｓ２０６では、カメラＣＰＵ１１は、Ｓ１０６でダイレクト光の照射が検出されなくなったときのフラッシュ発光部２２の角度データを角度検出器２５からフラッシュＣＰＵ２１と通信して読み取り、記憶する。例えば、図４に示す例では、上記演算により、バウンス照射時においてフラッシュ発光部２２の発光角度が、角度１０１の範囲にあれば、ダイレクト光が照射されていると判断されるものとする。この場合、最適なバウンス照射時のフラッシュ発光部２２の発光角度を検出するのは、角度１０２の範囲内でよいことになる。
【００２５】
Ｓ２０７では、角度１０２の範囲から、測光する角度を等間隔に複数点（図４の例では３点）算出する。この演算より図４の角度１０３、１０４、１０５が求まる。Ｓ２０８では、カメラＣＰＵ１１がフラッシュＣＰＵ２１と通信して駆動回路２３を制御し、フラッシュ発光部２２を角度１０１から垂直方向に算出した角度の１つへ動かす。Ｓ２０９では、カメラＣＰＵ１１はフラッシュＣＰＵ２１と通信して、フラッシュ発光部２２を一定光量で発光させると共に、多分割測光センサ１２による測光を行わせる。Ｓ２１０では、Ｓ２０９で測光して得た測光値の内、被写体に対応する領域の測光値の平均値を演算し、カメラＣＰＵ１１に記憶する。また、カメラＣＰＵ１１は、Ｓ２０９で測光した時のフラッシュ発光部２２の発光角度を角度検出器２５からフラッシュＣＰＵ２１と通信して読み出し、記憶する。Ｓ２１１では、Ｓ２０７で求めた複数点（ここでは３点）の角度において測光と演算が終了したかどうかを判断し、測光と演算が終了していればＳ２１２に進み、終了していない時はＳ２０８に戻って、上記処理を繰り返す。Ｓ２１２では、複数点（角度１０３、角度１０４、角度１０５）で演算した測光値の分布から、最適なバウンス照射時のフラッシュ発光部２２の発光角度を演算する。
【００２６】
ここで、Ｓ２１２で行われる演算方式の一例について、図５を用いて説明する。角度１０３での測光演算値をＤ１０３、角度１０４での測光演算値をＤ１０４、角度１０５での測光演算値をＤ１０５とし、その関係が例えば図５のようであるものとする。これらの３つのデータより、最大となる発光角度を演算する。まず、測光演算値Ｄ１０３と測光演算値Ｄ１０４との差分から傾きＩ１０１、測光演算値Ｄ１０４と測光演算値Ｄ１０５との差分から傾きＩ１０２を算出する。このとき、図５の例では、傾きＩ１０１が傾きＩ１０２に比べて小さくなっている。上記演算より算出された２つの傾きの絶対量を比較して、絶対量の小さい傾き（この場合、傾きＩ１０１）の係数に対して、傾きＩ１０２を反転した係数に補正する演算し、傾きＩ１０３を算出する。そして、傾きＩ１０３と傾きＩ１０２との交点の角度を、最適なフラッシュ発光部２２の発光角度θとする。上述したようにして算出された発光角度θのデータを、カメラＣＰＵ１１に記憶する。
【００２７】
なお、本発明における最適な発光角度の演算方法は、上述した方法に限るものではなく、得られた測光値とその測光値を取得したときに発光角度との分布から他の方法により求めてもよい。例えば、より多くの発光角度で測光値を求めた場合、関数近似などの手法や、正規分布等の統計的な手法により求めることも可能である。
【００２８】
Ｓ２１３では、Ｓ２１２で記憶した発光角度θのデータを読出し、該角度になるようにカメラＣＰＵ１１がフラッシュＣＰＵ２１と通信して駆動回路２３を制御する。
【００２９】
上記の通り、本第２の実施形態によれば、第１の実施形態と同様の効果を得ることができる。また、第１の実施形態と比較して、測光する回数を抑えることができるので、時間短縮と消費電力の抑制を図ることができる。
【００３０】
なお、Ｓ２１０では、Ｓ２０９で測光して得た測光値の内、被写体に対応する領域の測光値の平均値を測光値としたが、これに限るものではなく、測光値に基づいていれば、本願発明に含まれる。例えば、多分割測光センサ１２の全領域の測光値や、中央の領域の測光値であっても求めても良い。更には、予め設定された条件に基づいて、各領域に重み付けを行い、各領域から得られる測光値を重み付け平均しても構わない。
【００３１】
＜第３の実施形態＞
次に、本発明の第３の実施形態について説明する。なお、本第３の実施形態におけるカメラシステムの構成は、図１を参照して第１の実施形態で説明したものと同様であるため、ここでは説明を省略する。以下、図６のフローチャートを参照して、本第３の実施形態におけるバウンス撮影で用いる発光角度を求める処理方法について説明する。図３のフローチャートはカメラ１がバウンス照射時に、最適なフラッシュ発光部２２の発光角度を検出するプログラムに入ったところからスタートする。
【００３２】
Ｓ３００では、カメラＣＰＵ１１は、フラッシュ発光部２２の角度を角度検出器２５からフラッシュＣＰＵ２１と通信して読み出し、略平行になっているかを検出する。略平行であればＳ３０１でフラッシュ光を照射しない状態で多分割測光センサ１２が測光を行い、カメラＣＰＵ１１に多分割測光センサ１２により得られた測光値を記憶してステップＳ３０３に進む。一方、略平行でなければＳ３０２に進み、フラッシュ２の表示部２６にフラッシュ発光部２２を略平行にするようにという旨のメッセージを表示して、ユーザに知らせ、Ｓ３００に戻る。
【００３３】
Ｓ３０３では、カメラＣＰＵ１１は、フラッシュＣＰＵ２１と通信して、フラッシュ発光部２２を一定光量で発光させ、被写体にダイレクト光を照射する。そして、多分割測光センサ１２がダイレクト光照射時の測光を行い、カメラＣＰＵ１１は多分割測光センサ１２により得られた測光値と、記憶したフラッシュ光照射のない場合の測光値との差分を演算し記憶する。なお、以下の説明では、フラッシュ光を照射したときに多分割測光センサ１２で測光した測光値から、Ｓ３０１で記憶したフラッシュ光照射のない場合の測光値との差分を、フラッシュ光を照射したときの「測光値」と呼ぶ。
【００３４】
Ｓ３０４では、フラッシュ発光部２２の発光角度がユーザによって変更されたかどうかを、角度検出器２５を用いてカメラＣＰＵ１１がフラッシュＣＰＵ２１と通信して検出する。フラッシュ発光部２２の発光角度が変更されたことを検出するとＳ３０５に進み、発光角度が維持されていたら発光角度が変更されるまで待ち続ける。Ｓ３０５では、カメラＣＰＵ１１はフラッシュＣＰＵ２１と通信してフラッシュ発光部２２を一定光量で発光させ、多分割測光センサ１２が測光する。Ｓ３０６では、カメラＣＰＵ１１はＳ３０３で記憶した測光値とＳ３０５で測光した測光値とを比較し、２つの測光値が同レベルの値かどうかを判断する。なお、同レベルの値かどうかは、比較された２つの測光値の差が予め決められた所定範囲内にあるかどうかによって判断する。同レベルの値であれば、フラッシュ光がダイレクトに被写体に光が照射されていると判断し、Ｓ３０７に進む。Ｓ３０７では、測光した時点のフラッシュ発光部２２の発光角度では、被写体にダイレクト光が照射されているというガイダンスを表示部２６に、例えば図７（ａ）に示すように表示する。
【００３５】
一方、Ｓ３０６において、Ｓ３０５で測光した測光値と、Ｓ３０３で記憶した測光値との差が所定範囲外にあると判断されると、Ｓ３０８に進む。Ｓ３０８では、カメラＣＰＵ１１がＳ３０５で測光した測光値に対して、中央部分の領域に重みをつけた中央重点演算を行って、以下の判断に用いる測光値を求める。Ｓ３０９では、Ｓ３０８で演算した測光値を予め設定された複数のレベルにレベル分けし、例えば図７に示すように、フラッシュ２の表示部２６に測光量のガイダンスを表示する。
【００３６】
図７の表示について説明する。図７（ｂ）は、被写体にダイレクト光が照射されておらず、且つ、バウンス照射による被写体への照射量が最小レベルであることを意味する。図７（ｃ）は、被写体にダイレクト光が照射されておらず、且つ、バウンス照射による被写体への照射量が最大レベルであることを意味し、ユーザは、このレベルの表示がなされたフラッシュ発光部２２の角度がバウンス照射における最適な発光角度と判断できる。ステップＳ３１０では、カメラ１もしくはフラッシュ２の不図示の操作部材により、最適なバウンス光を照射するフラッシュ発光角度を検出するプログラムをユーザにより終了されたかを検出する。プログラムが継続動作されればステップＳ３０４に戻り、終了されたら図６のフローチャートは終了する。
【００３７】
上記の通り、本第３の実施形態によれば、発光角度を手動で変更する場合においても、実際の測光量からバウンス照射時の最適なフラッシュ発光部２２の発光角度を設定することができる。また、意図せず、被写体にダイレクトにフラッシュ光が照射されることを防ぐことができる。
【００３８】
なお、上記第１〜第３の実施形態では、フラッシュ光を照射した時に得られた測光値からフラッシュ光を照射していない時に得られた測光値を差分して、フラッシュ光を照射した時に得られた測光値としていた。しかしながら、本発明はこれに限るものではなく、フラッシュ光を照射した時に得られた測光値そのものを用いても構わない。
【００３９】
また、上記第１〜第３の実施形態では、カメラ１が有する多分割測光センサ１２により測光を行って、バウンス照射時の最適なフラッシュ発光部２２の発光角度をカメラＣＰＵ１１により求めていた。しかしながら、本発明はこれに限るものではなく、フラッシュ２が多分割測光センサを有していて、該多分割測光センサによる測光結果を用いてフラッシュＣＰＵ２１によりバウンス照射時の最適なフラッシュ発光部２２の発光角度を求めるようにしても構わない。
【００４０】
また、上記第３の実施形態では、中央重点演算により得られた測光値をレベル分けし、発光角度のガイダンス表示に用いたが、本発明はこれに限るものではなく、測光値に基づいて得た値をガイダンス表示に用いるのであれば、本願発明に含まれる。例えば、多分割測光センサ１２の全領域の測光値に基づいて求めても、被写体に対応する領域の測光値に基づいて求めても良い。更には、予め設定された条件に基づいて、各領域に重み付けを行い、各領域から得られる測光値を重み付け平均しても構わない。
【００４１】
以上、本発明の好ましい実施形態について説明したが、本発明はこれらの実施形態に限定されず、その要旨の範囲内で種々の変形及び変更が可能である。例えば、本実施形態においては、発光角度を求めるために、フラッシュ発光部２２の閃光管を用いるものとして説明しているが、ＬＥＤ２４を用いてもよい。ＬＥＤを用いた場合は、フラッシュ発光部２２を用いるよりも消費電力を抑えることができる。
【００４２】
また、本実施形態において、被写体へのダイレクト光が照射されているかを検出する方法は上述した方法に限らず、他の方法であってもよい。
【図１】
2011221364.tif 000003
【図２】
2011221364.tif 000004
【図３】
2011221364.tif 000005
【図４】
2011221364.tif 000006
【図５】
2011221364.tif 000007
【図６】
2011221364.tif 000008
【図７】
2011221364.tif 000009